(57)【要約】  【課題】  例えばモード等によって原稿に照射する光の光量を切り換えて画像の読み取りを行う場合に、それぞれの光量において光源の光量分布に起因するばらつきを抑制する。  【解決手段】  この画像読み取り装置では、原稿の画像を白黒画像として読み取る白黒モードと、カラー画像として読み取るカラーモードとで、原稿を照射する照明ランプの光量を切り換えている。そして、白黒モードでは、白黒モードにおける照明ランプの光量にて取得し第１の外部メモリ１２１に格納された白黒用シェーディングデータを読み出して、読み取られた画像データにシェーディング補正を施し、カラーモードでは、カラーモードにおける照明ランプの光量にて取得し第２の外部メモリ１２２に格納されたカラー用シェーディングデータを読み出して、読み取られた画像データにシェーディング補正を施す。  【選択図】  図１
2006013821.tif 000002
【特許請求の範囲】
【請求項１】
原稿に光を照射する照射手段と、
前記照射手段により照射される原稿の画像を読み取る読み取り手段と、
原稿の画像を読み取るモードに応じて前記照射手段により照射される光量を切り換える光量切換手段と、
前記光量切換手段により切り換えられる複数の光量に対応する複数のシェーディング補正データを記憶する記憶手段と、
前記光量切換手段による光量の切り替えに応じて前記記憶手段に記憶される複数のシェーディング補正データにおける一のシェーディング補正データを選択し、前記読み取り手段により原稿を読み取って得られた画像データにシェーディング補正を施す補正手段と
を含む画像読み取り装置。
【請求項２】
前記モードは、原稿の画像を白黒画像として読み取る白黒モードとカラー画像として読み取るカラーモードとを含み、
前記光量切換手段は、前記白黒モードよりも前記カラーモードにおける光量が多くなるように、前記照射手段により照射される光の光量を切り換えることを特徴とする請求項１記載の画像読み取り装置。
【請求項３】
原稿に光を照射する照射手段と、
前記照射手段により照射される原稿の画像を読み取る読み取り手段と、
原稿の画像を読み取るモードに応じて前記照射手段により照射される光量を切り換える光量切換手段と、
前記読み取り手段にて原稿の画像を読み取る前に、前記光量切換手段により切り換えられる光量におけるシェーディング補正データを取得する補正データ取得手段と、
前記読み取り手段により原稿を読み取って得られた画像データに対し前記補正データ取得手段により取得された前記シェーディング補正データを用いてシェーディング補正を施す補正手段と
を含む画像読み取り装置。
【請求項４】
前記補正データ取得手段は、前記光量切換手段にて切り換えられる光量に応じて、サンプリング回数を異ならせて前記シェーディング補正データを取得することを特徴とする請求項３記載の画像読み取り装置。
【請求項５】
原稿に第１の光量または当該第１の光量とは異なる第２の光量で光を照射する光源と、
原稿から反射する反射光を受光するセンサと、
前記センサにて読み取られる基準部材と、
前記第１の光量にて前記センサにより前記基準部材を読み取って得られた第１の補正データおよび前記第２の光量にて前記センサにより当該基準部材を読み取って得られた第２の補正データを記憶するメモリと、
前記第１の光量にて前記センサにより読み取られた原稿の画像データに対して前記メモリから読み出された前記第１の補正データを用いて補正を施し、前記第２の光量にて前記センサにより読み取られた原稿の画像データに対して当該メモリから読み出された前記第２の補正データを用いて補正を施す補正部と
を含む画像読み取り装置。
【請求項６】
前記光源は、前記第１の光量に設定された場合と前記第２の光量に設定された場合とでその光量分布の形状が異なることを特徴とする請求項５記載の画像読み取り装置。
【請求項７】
第１の光量にて照射された基準部材を読み取って第１のシェーディング補正データを取得し、
前記第１の光量とは異なる第２の光量にて照射された前記基準部材を読み取って第２のシェーディング補正データを取得し、
前記第１の光量にて照射された原稿を読み取る際には前記第１のシェーディング補正データを用いてシェーディング補正を施し、前記第２の光量にて照射された原稿を読み取る際には前記第２のシェーディング補正データを用いてシェーディング補正を施すこと
を特徴とする画像データの補正方法。
【発明の詳細な説明】
【技術分野】
【０００１】
本発明は、原稿に形成された画像を読み取る画像読み取り装置等に係り、より詳しくは、モードによって原稿に照射する光の光量を切り換えて画像を読み取る画像読み取り装置等に関する。
【背景技術】
【０００２】
従来、複写機やファクシミリ等の読み取り装置、コンピュータ入力用のスキャナ等として、原稿の画像情報を自動的に読み取る画像読み取り装置が用いられている。この種の画像読み取り装置では、原稿の主走査方向に沿って延設される光源を用いて原稿に光を照射し、照射された原稿から反射した反射光をイメージセンサにて受光することで、原稿上の画像を読み取っている。
【０００３】
近年、読み取り時間の高速化(短時間化)に伴って、読み取りに際してイメージセンサが電荷を蓄積することのできる蓄積時間は短縮化されてきている。その結果、イメージセンサからの出力値は一般的に小さくなり、相対的にノイズの影響が大きくなってしまうという問題が発生している。そこで、このような問題を解決する目的で、光源の光量を多くなるように設定を行うことで、イメージセンサからの出力を大きくする手法が考えられる。ただし、光源の光量を多くした場合、光源による消費電力量も多くなってしまうという問題がある。そこで、画像を読み取る読み取りモードに応じて光源の光量を切り換えることで、所望とする画質を確保しつつ消費電力を抑える技術が提案されている(特許文献１参照。)。
【０００４】
【特許文献１】特開２００３−１６２０１４号公報(第３−４頁、図２)
【発明の開示】
【発明が解決しようとする課題】
【０００５】
ところで、上述したような画像読み取り装置では、原稿の主走査方向位置によって光源から照射される光量にばらつきがあったり、また、経時的に光源の光量が変動したりするといった事態が生じ得る。このような光量の変動が生じると、例えばハーフトーンの画像が一様に形成された原稿を読み取った場合に、出力値(出力される画像信号)が光源の光量に応じたばらつきを有する不均一なものとなってしまう。
そこで、光源に対向して原稿の主走査方向に延びる白色の部材(白基準部材)を配置すると共に、この白基準部材に対して光源から光を照射し、白基準部材から反射した反射光をイメージセンサにて受光し、原稿の主走査方向の照度分布に対応する補正用データ(シェーディング補正データ)を予め取得しておく手法が広く用いられている。そして、実際の原稿読み取りを行う際には、原稿を読み取って得られた画像信号を、シェーディング補正データを用いて補正(シェーディング補正)することで、光源の光量分布に起因するむらを除去している。
【０００６】
しかしながら、上記特許文献１のように読み取りモードに応じて光源の光量を変えるような場合には、光源の光量を変更することに伴って、その光量分布のプロファイルが変化してしまうことがあった。このように光量分布のプロファイルが変化してしまうと、ある読み取り条件(光量)下で取得したシェーディング補正データを用いて他の読み取り条件(光量)で得られた画像信号をシェーディング補正することになるため、的確なシェーディング補正を施すことができなくなり、光源の光量分布に起因するばらつきを除去しきれないことがあった。
【０００７】
本発明は、かかる技術的課題を解決するためになされたものであって、その目的とするところは、例えばモード等によって原稿に照射する光の光量を切り換えて画像の読み取りを行う場合に、それぞれの光量において光源の光量分布に起因するばらつきを抑制することにある。
【課題を解決するための手段】
【０００８】
かかる目的のもと、本発明が適用される画像読み取り装置は、原稿に光を照射手段で照射し、照射手段により照射される原稿の画像を読み取り手段で読み取り、原稿の画像を読み取るモードに応じて照射手段により照射される光量を光量切換手段で切り換え、光量切換手段により切り換えられる複数の光量に対応する複数のシェーディング補正データを記憶手段で記憶し、光量切換手段による光量の切り替えに応じて記憶手段に記憶される複数のシェーディング補正データにおける一のシェーディング補正データを選択し、読み取り手段により原稿を読み取って得られた画像データに補正手段でシェーディング補正を施す。
ここで、モードは、原稿の画像を白黒画像として読み取る白黒モードとカラー画像として読み取るカラーモードとを含み、光量切換手段は、白黒モードよりもカラーモードにおける光量が多くなるように、照射手段により照射される光の光量を切り換えることを特徴とすることができる。
【０００９】
また、他の観点から捉えると、本発明が適用される画像読み取り装置は、原稿に光を照射手段で照射し、照射手段により照射される原稿の画像を読み取り手段で読み取り、原稿の画像を読み取るモードに応じて照射手段により照射される光量を光量切換手段で切り換え、読み取り手段にて原稿の画像を読み取る前に、光量切換手段により切り換えられる光量におけるシェーディング補正データを補正データ取得手段で取得し、読み取り手段により原稿を読み取って得られた画像データに対し補正データ取得手段により取得されたシェーディング補正データを用いて補正手段でシェーディング補正を施す。
ここで、補正データ取得手段は、光量切換手段にて切り換えられる光量に応じて、サンプリング回数を異ならせてシェーディング補正データを取得することを特徴とすることができる。
【００１０】
さらに、他の観点から捉えると、本発明が適用される画像読み取り装置は、原稿に第１の光量または第１の光量とは異なる第２の光量で光を照射する光源と、原稿から反射する反射光を受光するセンサと、センサにて読み取られる基準部材と、第１の光量にてセンサにより基準部材を読み取って得られた第１の補正データおよび第２の光量にてセンサにより基準部材を読み取って得られた第２の補正データを記憶するメモリと、第１の光量にてセンサにより読み取られた原稿の画像データに対してメモリから読み出された第１の補正データを用いて補正を施し、第２の光量にてセンサにより読み取られた原稿の画像データに対してメモリから読み出された第２の補正データを用いて補正を施す補正部とを含んでいる。
ここで、光源は、第１の光量に設定された場合と第２の光量に設定された場合とでその光量分布の形状が異なることを特徴とすることができる。
【００１１】
また、方法のカテゴリから捉えると、本発明は、第１の光量にて照射された基準部材を読み取って第１のシェーディング補正データを取得し、第１の光量とは異なる第２の光量にて照射された基準部材を読み取って第２のシェーディング補正データを取得し、第１の光量にて照射された原稿を読み取る際には第１のシェーディング補正データを用いてシェーディング補正を施し、第２の光量にて照射された原稿を読み取る際には第２のシェーディング補正データを用いてシェーディング補正を施すことを特徴としている。
【発明の効果】
【００１２】
本発明によれば、原稿に照射する光の光量を切り換えて画像の読み取りを行う場合に、それぞれの光量において光源の光量分布に起因するばらつきを抑制することができる。
【発明を実施するための最良の形態】
【００１３】
以下、添付図面を参照して、本発明を実施するための最良の形態(以下、実施の形態という)について詳細に説明する。
―実施の形態１―
図１は本実施の形態が適用される画像読み取り装置を示した図である。この画像読み取り装置は、大きく、積載された原稿束から原稿を順次、搬送する原稿送り装置１０、スキャンによって画像を読み込むスキャナ装置７０、および、読み込まれた画像信号を処理する処理装置８０に大別される。
【００１４】
原稿送り装置１０は、複数枚の原稿からなる原稿束を積載する原稿トレイ１１、原稿トレイ１１を上昇および下降させるトレイリフタ１２を備えている。また、トレイリフタ１２により上昇された原稿トレイ１１の原稿を搬送するナジャーロール１３、ナジャーロール１３により搬送された原稿を更に下流側まで搬送するフィードロール１４、ナジャーロール１３により供給される原稿を１枚ずつ捌くリタードロール１５を備えている。最初に原稿が搬送される第１搬送路３１には、一枚ずつに捌かれた原稿を下流側のロールまで搬送するテイクアウェイロール１６、原稿を更に下流側のロールまで搬送すると共にループ作成を行うプレレジロール１７、一旦、停止した後にタイミングを合わせて回転を再開し、原稿読み取り部に対してレジストレーション調整を施しながら原稿を供給するレジロール１８、読み込み中の原稿搬送をアシストするプラテンロール１９、読み込まれた原稿を更に下流に搬送するアウトロール２０を備えている。また、搬送路としての第１搬送路３１には、搬送される原稿のループ状態に応じて支点を中心として回動するバッフル４１を備えている。更に、プラテンロール１９とアウトロール２０との間には、読み取り部(第２の読み取り部)としてのＣＩＳ(Contact Image Sensor)５０を備えている。
【００１５】
アウトロール２０の下流側には、第２搬送路３２および第３搬送路３３が設けられ、これらの搬送路を切り替える搬送路切替ゲート４２、読み込みが終了した原稿を積載させる排出トレイ４０、排出トレイ４０に対して原稿を排出させる第１排出ロール２１を備えている。また、第３搬送路３３を経由した原稿に対してスイッチバックさせる第４搬送路３４、第４搬送路３４に設けられ、実際に原稿のスイッチバックを行うインバータロール２２およびインバータピンチロール２３、第４搬送路３４によってスイッチバックされた原稿を再度、プレレジロール１７等を備える第１搬送路３１に導く第５搬送路３５、第４搬送路３４によってスイッチバックされた原稿を排出トレイ４０に排出する第６搬送路３６、第６搬送路３６に設けられ、反転排出される原稿を第１排出ロール２１まで搬送する第２排出ロール２４、第５搬送路３５および第６搬送路３６の搬送経路を切り替える出口切替ゲート４３を備えている。
【００１６】
ナジャーロール１３は、待機時にはリフトアップされて退避位置に保持され、原稿搬送時にニップ位置(原稿搬送位置)へ降下して原稿トレイ１１上の最上位の原稿を搬送する。ナジャーロール１３およびフィードロール１４は、フィードクラッチ(図示せず)の連結によって原稿の搬送を行う。プレレジロール１７は、停止しているレジロール１８に原稿先端を突き当ててループを作成する。レジロール１８では、ループ作成時に、レジロール１８に噛み込んだ原稿先端をニップ位置まで戻している。このループが形成されると、バッフル４１は支点を中心として開き、原稿のループを妨げることのないように機能している。また、テイクアウェイロール１６およびプレレジロール１７は、読み込み中におけるループを保持している。このループ形成によって、読み込みタイミングの調整が図られ、また、読み込み時における原稿搬送に伴うスキューを抑制して、位置合わせの調整機能を高めることができる。読み込みの開始タイミングに合わせて、停止されていたレジロール１８が回転を開始し、プラテンロール１９によって、第２プラテンガラス７２Ｂ(後述)に押圧されて、下面方向から画像データが読み込まれる。
【００１７】
搬送路切替ゲート４２は、片面原稿の読み取り終了時、および両面原稿の両面同時読み取りの終了時に、アウトロール２０を経由した原稿を第２搬送路３２に導き、排出トレイ４０に排出するように切り替えられる。一方、この搬送路切替ゲート４２は、両面原稿の順次読み取り時には、原稿を反転させるために、第３搬送路３３に原稿を導くように切り替えられる。インバータピンチロール２３は、両面原稿の順次読み取り時に、フィードクラッチ(図示せず)がオフの状態でリトラクトされてニップが開放され、原稿をインバータパス(第４搬送路３４)へ導いている。その後、このインバータピンチロール２３はニップされ、インバータロール２２によってインバートする原稿をプレレジロール１７へ導き、また、反転排出する原稿を第６搬送路３６の第２排出ロール２４まで搬送している。
【００１８】
スキャナ装置７０は、上述した原稿送り装置１０を備えることができると共に、この原稿送り装置１０を装置フレーム７１によって支え、また、原稿送り装置１０によって搬送された原稿の画像読み取りを行っている。このスキャナ装置７０は、第１の筐体を形成する装置フレーム７１に、画像を読み込むべき原稿を静止させた状態で載置する第１プラテンガラス(プラテンガラス)７２Ａ、原稿送り装置１０によって搬送中の原稿を読み取るための光の開口部を形成する第２プラテンガラス７２Ｂが設けられている。なお、本実施の形態では、スキャナ装置７０に対して原稿送り装置１０が奥側を支点に揺動自在に取り付けられており、第１プラテンガラス７２Ａ上に原稿をセットする際には、原稿送り装置１０を持ち上げて原稿を載置し、その後、原稿送り装置１０をスキャナ装置７０側に降ろして押し付けるようになっている。
【００１９】
また、第１の読み取り部としてのスキャナ装置７０は、第２プラテンガラス７２Ｂの下に静止し、および第１プラテンガラス７２Ａの全体に亘ってスキャンして画像を読み込むフルレートキャリッジ７３、フルレートキャリッジ７３から得られた光を像結合部へ提供するハーフレートキャリッジ７５を備えている。フルレートキャリッジ７３には、原稿に光を照射する照射手段あるいは光源としての照明ランプ７４、原稿から得られた反射光を受光する第１ミラー７６Ａが備えられている。更に、ハーフレートキャリッジ７５には、第１ミラー７６Ａから得られた光を結像部へ提供する第２ミラー７６Ｂおよび第３ミラー７６Ｃが備えられている。更に、スキャナ装置７０は、第３ミラー７６Ｃから得られた光学像を光学的に縮小する結像用レンズ７７、結像用レンズ７７によって結像された光学像を光電変換する読み取り手段あるいはセンサとしてのＣＣＤ(Charge Coupled Device)イメージセンサ７８、ＣＣＤイメージセンサ７８を備える駆動基板７９を備え、ＣＣＤイメージセンサ７８によって得られた画像信号は駆動基板７９を介して処理装置８０に送られる。
【００２０】
ここで、まず、第１プラテンガラス７２Ａに載置された原稿の画像を読み取る場合には、フルレートキャリッジ７３とハーフレートキャリッジ７５とが、２：１の割合でスキャン方向(矢印方向)に移動する。このとき、フルレートキャリッジ７３の照明ランプ７４の光が原稿の被読み取り面に照射されると共に、その原稿からの反射光が第１ミラー７６Ａ、第２ミラー７６Ｂ、および第３ミラー７６Ｃの順に反射されて結像用レンズ７７に導かれる。結像用レンズ７７に導かれた光は、ＣＣＤイメージセンサ７８の受光面に結像される。ＣＣＤイメージセンサ７８は１次元のセンサであり、１ライン分を同時に処理している。このライン方向(スキャンの主走査方向)の１ラインの読み取りが終了すると、主走査方向とは直交する方向(副走査方向)にフルレートキャリッジ７３を移動させ、原稿の次のラインを読み取る。これを原稿サイズ全体に亘って実行することで、１ページの原稿読み取りを完了させる。
【００２１】
一方、第２プラテンガラス７２Ｂは、例えば長尺の板状構造をなす透明なガラスプレートで構成される。原稿送り装置１０によって搬送される原稿がこの第２プラテンガラス７２Ｂの上を通過する。このとき、フルレートキャリッジ７３とハーフレートキャリッジ７５とは、図１に示す実線の位置に停止した状態にある。まず、原稿送り装置１０のプラテンロール１９を経た原稿の１ライン目の反射光が、第１ミラー７６Ａ、第２ミラー７６Ｂ、および第３ミラー７６Ｃを経て結像用レンズ７７にて結像され、ＣＣＤイメージセンサ７８によって画像が読み込まれる。即ち、１次元のセンサであるＣＣＤイメージセンサ７８によって主走査方向の１ライン分を同時に処理した後、原稿送り装置１０によって搬送される原稿の次の主走査方向の１ラインが読み込まれる。原稿の先端が第２プラテンガラス７２Ｂの読み取り位置に到達した後、原稿が第２プラテンガラス７２Ｂの読み取り位置を通過することによって、副走査方向に亘って１ページの読み取りが完了する。
【００２２】
本実施の形態では、フルレートキャリッジ７３とハーフレートキャリッジ７５とを停止させ、第２プラテンガラス７２ＢにてＣＣＤイメージセンサ７８により原稿の第１面の読み取りを行う原稿の搬送時に、同時(時間の完全一致ではなく、同一の原稿搬送時程度の意味) にＣＩＳ５０によって、原稿の第２面の読み取りを行うことが可能である。即ち、ＣＣＤイメージセンサ７８とＣＩＳ５０とを用いて、搬送路への原稿の一度の搬送で、この原稿における表裏両面の画像を読み取ることを可能としている。
【００２３】
図２は、ＣＩＳ５０を用いた読み取り構造を説明するための図である。図２に示すように、ＣＩＳ５０は、プラテンロール１９とアウトロール２０との間に設けられる。原稿の片面(第１面)は、第２プラテンガラス７２Ｂに押し当てられ、この第１面の画像はＣＣＤイメージセンサ７８にて読み込まれる。一方、ＣＩＳ５０では、原稿を搬送する搬送路を介して対向する他方の側から、片面(第２面)の画像が読み込まれる。このＣＩＳ５０は、ハウジング５０ａと、このハウジング５０ａの搬送路側に形成された開口に装着されるガラス５１と、このガラス５１を透過して原稿の第２面に光を照射するＬＥＤ(Light Emitting Diode)アレイ５２と、ＬＥＤアレイ５２からの反射光を集光するセルフォックレンズ(登録商標)５３と、このセルフォックレンズ５３により集光された光を読み取るラインセンサ５４を備えている。ラインセンサ５４としては、ＣＣＤやＣＭＯＳセンサ、密着型センサ等を用いることができ、実寸幅(例えばＡ４長手幅２９７ｍｍ)の画像を読み取ることが可能である。ＣＩＳ５０では、縮小光学系を用いずに、セルフォックレンズ５３とラインセンサ５４を用いて画像の取り込みを行うことから、構造をシンプルにすることができ、且つ、筐体を小型化し、消費電力を低減することができる。尚、カラー画像を読み込む場合には、ＬＥＤアレイ５２にＲ(赤)Ｇ(緑)Ｂ(青)の３色のＬＥＤ光源を組み合わせるかあるいは白色のＬＥＤ光源を用い、ラインセンサ５４としてＲＧＢ３色用の３列一組のセンサを用いれば良い。
【００２４】
また、ＣＩＳ５０による画像読み取りに際して、この読み取り部を構成する搬送路に、ＣＩＳ５０のハウジング５０ａに対して原稿の搬送方向上流側に突出する突出部５０ｂから原稿の搬送方向下流側に向かって延びる制御部材５５、搬送される原稿が突き当てられる対向部材としての突き当て部材６０を備えている。ここで、制御部材５５はＣＩＳ５０を介して原稿送り装置１０(図１参照)に取り付けられているが、突き当て部材６０はスキャナ装置７０(図１参照)に取り付けられている。また、この突き当て部材６０の下流側にはガイド６１が設けられ、このガイド６１と突き当て部材６０との間には開口部６３を構成し、更に、ガイド６１の下部であって開口部６３に連続する箇所には、原稿の表面に付着してきたごみや汚れを溜めるごみ溜め部６２が設けられている。制御部材５５および突き当て部材６０は、原稿の搬送路に直交する方向に(即ち、原稿送り装置１０の前面から後面の方向に)、原稿送り装置１０の前面から後面まで、搬送路の位置に対応して設けられている。
【００２５】
ここで、制御部材５５は、上述した突出部５０ｂに取り付けられたねじからなる回転軸５５１と、この回転軸５５１に対して一端が巻き回されることにより揺動可能に支持されると共に、他端である自由端が突き当て部材６０に向かって延びる板状の案内部材としてのガイド部材５５２と、回転軸５５１に対して巻き回され、一方のアームの端部が突出部５０ｂに形成された穿孔５０ｃに挿入され、もう一方のアームの端部がガイド部材５５２を突き当て部材６０方向に向けて付勢するように配置されるねじりバネ５５３とを有している。ここで、突出部５０ｂは原稿の搬送路に直交する方向の両端部に二箇所設けられており、回転軸５５およびねじりバネ５５３もこれに対応して両端部に二箇所に設けられている。一方、ガイド部材５５２は、原稿の搬送路に直交する方向の前面から後面まで設けられている。
【００２６】
本実施の形態において、ガイド部材５５２は、例えばＳＵＳ等の金属製の板金(金属板)で構成される。また、ガイド部材５５２の自由端側はＣＩＳ５０による読み取り位置の近傍、具体的には、読み取り位置より原稿の搬送方向上流側３ｍｍの位置まで延びている。さらに、ガイド部材５５２の自由端側つまり原稿と接触する部位には、ヘミング曲げされた折り部５５２ａが設けられており、この折り部５５２ａを設けることにより、搬送されてくる原稿と接触する際における紙粉等の発生を防止できるようになっている。そして、ガイド部材５５２を金属製の板金で構成すると共にねじりバネ５５３によって撓み自在とすることで、搬送されてくる原稿の厚み分を吸収できると共に、折り曲げ後のついた原稿であっても安定して搬送できるようになっている。
【００２７】
一方、突き当て部材６０は、原稿の搬送方向上流側に設けられ、搬送される原稿を案内する原稿搬送面６０ａと、原稿搬送面６０ａよりも原稿の搬送方向下流側に原稿搬送面６０ａよりも一段下げて形成される段差面６０ｂとを有している。また、この段差面６０ｂは、セルフォックレンズ５３による光のフォーカスポイントの延長線と対向するように形成されており、段差面６０ｂ上には、二次区延伸ポリエステルフィルムからなる白基準テープ６４が貼り付けられている。したがって、白基準テープ６４は、突き当て部材６０を介してスキャナ装置７０に取り付けられていることになる。本実施の形態では、白基準テープ６４の上面が搬送路に露出した状態で配置されており、白基準テープ６４の上面は、原稿搬送面６０ａの上面よりもわずかに奥側(搬送路から離れる側)に位置している。また、突き当て部材６０の搬送路側(上部)であって白基準テープ６４に対して原稿の搬送方向に直交する方向の両端部には、図中破線で示すように、原稿搬送方向に向かって延びる間隙形成手段としてのリブ６５が形成されている。このリブ６５は、突き当て部材６０と共に樹脂により一体的に形成されており、リブ６５の高さは搬送されてくる原稿の厚さを勘案して、０.１〜１.０ｍｍの範囲より適宜設定される。なお、リブ６５の高さは使用される頻度が高い原稿の厚さよりもわずかに大きいことが好ましい。そして、このリブ６５に対してねじりバネ５５３により付勢されたガイド部材５５２が当接することにより、ガイド部材５５２と突き当て部材６０の原稿搬送面６０ａとの間に、原稿が搬送される前の状態で、リブ６５の高さに応じた０.１〜１.０ｍｍの隙間が形成されることになる。
また、突き当て部材６０の下側であって、第１プラテンガラス７２Ａの上部側には、この第１プラテンガラス７２Ａに密着するように取り付けられる基準部材としての白基準板６６が設けられている。
【００２８】
ここで、ＣＩＳ５０は、光学結像レンズにセルフォックレンズ５３を採用していることから、焦点(被写界)震度が±０.３ｍｍ程度と浅く、スキャナ装置７０を用いた場合に比べて約１/１３以下の深度となっている。ＣＩＳ５０による読み取りに際しては、原稿の読み取り位置を所定の狭い範囲内に収めることが要求される。そこで、本実施の形態では、制御部材５５を設け、原稿を制御部材５５によって突き当て部材６０に押し当てて搬送し、プラテンロール１９とアウトロール２０との間にある原稿の姿勢を安定的に制御できるように構成した。図２に示す一点鎖線矢印は、制御部材５５を設けた場合の原稿の動きを示したものである。搬送される原稿が突き当て部材６０に押し当てられながら搬送されることが理解される。すなわち、制御部材５５によって、搬送される原稿を突き当て部材６０に押し当てた状態で読み取ることで、被写界深度の浅いＣＩＳ５０を用いた場合におけるピントの甘さを改善している。
【００２９】
次に、図１に示す処理装置８０について説明する。
図３は、処理装置８０を説明するためのブロック図である。本実施の形態が適用される処理装置８０は、大きく、センサ(ＣＣＤイメージセンサ７８およびＣＩＳ５０)から得られた画像情報を処理する信号処理部８１と、原稿送り装置１０およびスキャナ装置７０を制御する制御部９０とを備えている。信号処理部８１は、原稿の表面(第１面)を読み取るＣＣＤイメージセンサ７８および裏面(第２面)を読み取るＣＩＳ５０のラインセンサ５４からの各々の出力に対して所定の画像処理を施している。この信号処理部８１には、入力されてくるディジタル信号に対してシェーディング補正やオフセット補正等の各種処理を施す画像処理回路が２系統備えられており、ＣＣＤイメージセンサ７８によって読み取られた表面(第１面)の画像データに対して画像処理を施す第１画像処理回路１００、ＣＩＳ５０によって読み取られた裏面(第２面)の画像データに対して画像処理を施す第２画像処理回路２００を備えている。これら画像処理回路からの出力は、例えばプリンタ等のＩＯＴ(Image Output Terminal)や、パーソナルコンピュータ(ＰＣ)等のホストシステムへ出力される。
【００３０】
一方、制御部９０は、各種両面読み取りの制御や片面読み取りの制御等を含め、原稿送り装置１０およびスキャナ装置７０の全体を制御する画像読み取りコントロール９１、ＣＣＤイメージセンサ７８およびＣＩＳ５０を制御するＣＣＤ/ＣＩＳコントロール９２、読み取りタイミングに合わせてＣＩＳ５０のＬＥＤアレイ５２やフルレートキャリッジ７３の照明ランプ７４を制御する光量切換手段としてのランプコントロール９３、スキャナ装置７０におけるモータのオン/オフなどを行いフルレートキャリッジ７３とハーフレートキャリッジ７５とのスキャン動作を制御するスキャンコントロール９４、原稿送り装置１０におけるモータの制御、各種ロールの動作やフィードクラッチの動作、ゲートの切り替え動作等を制御する搬送機構コントロール９５を備えている。これらの各種コントロールからは、原稿送り装置１０およびスキャナ装置７０に対して制御信号が出力され、かかる制御信号に基づいて、これらの動作制御が可能となる。画像読み取りコントロール９１は、ホストシステムからの制御信号や、例えば自動選択読み取り機能に際して検出されるセンサ出力、ユーザからの選択等に基づいて、読み取りモードを設定し、原稿送り装置１０およびスキャナ装置７０を制御している。このような読み取りモードとしては、１パス(反転なし)による両面同時読み取りモード、反転パスを用いた反転両面読み取りモード、１パスによる片面読み取りモード等の原稿流し読み取り、あるいは、第１プラテンガラス７２Ａ上に原稿を載置して読み取る原稿固定読み取りが考えられる。
【００３１】
図４は、上述した第１画像処理回路１００の機能をさらに詳述したブロック図である。本実施の形態では、ＣＣＤイメージセンサ７８から、ＲＥＤ、ＧＲＥＥＮ、ＢＬＵＥの三色の画像信号が、それぞれ、ＯＤＤ、ＥＶＥＮに分割されて出力されてくる。すなわち、ＲＥＤ、ＧＲＥＥＮ、ＢＬＵＥ各色の画像信号を奇数(ＯＤＤ)画素と偶数(ＥＶＥＮ)画素とにそれぞれ振り分けて並列に出力することで、ＣＣＤイメージセンサ７８から第１画像処理回路１００へのデータ転送速度を高速化している。
【００３２】
第１画像処理回路１００は、ＣＣＤイメージセンサ７８から出力されてくる各画像信号(RED_ODD出力、RED_EVEN出力、GREEN_ODD出力、GREEN_EVEN出力、BLUE_ODD出力、BLUE_EVEN出力)に対してサンプルホールドを行うサンプルホールド回路１０１(具体的には１０１ａ〜１０１ｆ)、各画像信号を所定の出力レベルまで増幅する増幅回路１０２(具体的には１０２ａ〜１０２ｆ)、アナログ信号である各画像信号をディジタル信号に変換するＡ/Ｄ変換回路１０３(具体的には１０３ａ〜１０３ｆ)、ディジタル信号に変換された各色のＯＤＤ、ＥＶＥＮ信号(RED_ODDおよびRED_EVEN、GREEN_ODDおよびGREEN_EVEN、BLUE_ODDおよびBLUE_EVEN)をそれぞれ合成する合成回路１０４(具体的には１０４ａ〜１０４ｃ)、合成された各色の画像信号にシェーディング補正を施すシェーディング補正回路１０５(１０５ａ〜１０５ｃ)、ＢＬＵＥ、ＲＥＤのライン間隔分だけＲＥＤの画像信号を遅延させ、また、ＢＬＵＥ、ＧＲＥＥＮのライン間隔分だけＧＲＥＥＮの画像信号を遅延させることでＢＬＵＥのタイミングにＲＥＤ、ＧＲＥＥＮを一致させる遅延回路１０６(具体的には１０６ａ、１０６ｂ)、ＲＧＢ各色の画像信号に対して画像処理を施す画像処理回路１０７、を有している。ここで、画像処理回路１０７は、入力されてくるＲＧＢ各色の画像信号に対して、例えば色空間変換処理、拡大縮小処理、地肌除去処理、２値化処理等の画像処理を施す。なお、ＣＣＤイメージセンサ７８を用いて白黒読み取りを行う場合には、読み取られたＲＧＢ３色の画像信号に基づき、画像処理回路１０７において白黒画像データの生成を行う。
【００３３】
図５は、上述した第１画像処理回路１００のうち、シェーディング補正回路１０５をさらに詳述したブロック図である。シェーディング補正回路１０５は、合成回路１０４から入力されてくる各色の画像信号に対し、ＣＣＤイメージセンサ７８の感度のばらつきや照明ランプ７４の光量分布特性に応じた補正を施す。このシェーディング補正回路１０５は、合成回路１０４からパスＡを介して入力される画像信号に対してシェーディング補正を施した後、パスＢを介して出力する補正手段あるいは補正部としてのシェーディング補正処理回路１１１と、白基準板６６を読み取って得られ、合成回路１０４からパスＣを介して入力される１ライン分のシェーディングデータを保持し、この保持したシェーディングデータを第１の外部メモリ１２１あるいは第２の外部メモリ１２２に転送することが可能なシェーディング補正用メモリ１１２とを備えている。また、第１の外部メモリ１２１あるいは第２の外部メモリ１２２に保持されたシェーディングデータは、逆にシェーディング補正用メモリ１１２に転送することもできる。そして、シェーディング補正処理回路１１１は、パスＤを介して、シェーディング補正用メモリ１１２に保持されたシェーディングデータを読み出し、パスＡを介して入力されてくる画像信号に対しシェーディング補正を施す。ここで、第１の外部メモリ１２１および第２の外部メモリ１２２には、後述するように、それぞれ異なる光量において採取されたシェーディングデータが格納されており、記憶手段あるいはメモリとして機能している。
【００３４】
なお、本実施の形態において、ＣＩＳ５０は、白黒読み取り専用に設定されている。このため、第２画像処理回路２００は、第１画像処理回路１００とは異なり、ＣＩＳ５０からＯＤＤ、ＥＶＥＮに分割されて出力されてくる白黒(Ｂ/Ｗ)の画像信号を処理する回路を有しており、ＲＧＢの３色の画像信号を処理する回路は有していない。
【００３５】
次に、上述したＣＣＤイメージセンサ７８を用いた、原稿の画像読み取りについて説明する。本実施の形態に係る画像読み取り装置では、原稿に形成された画像をカラー画像として読み取るモード(以下、カラーモードという)と白黒画像として読み取るモード(以下、白黒モードという)とで、読み取り速度(スキャン速度)を異ならせている。具体的には、例えば第１プラテンガラス７２Ａ上に載置された原稿の画像を読み取る固定読み取りの場合には、フルレートキャリッジ７３およびハーフレートキャリッジ７５の移動速度を異ならせ、原稿送り装置１０によって搬送される原稿の画像を読み取る流し読み取りの場合には、原稿送り装置１０による原稿の搬送速度を異ならせている。すなわち、高画質が要求されるカラーモードに対し、高速性が要求される白黒モードでは、カラーモードよりも高速なスキャン速度で読み取りを行っている。また、カラーモードでは、照明ランプの光量を多くすることによりＳ/Ｎ比を改善して高画質を確保する一方、白黒モードでは、照明ランプの光量をカラーモードよりも少なくすることにより消費電力の低減を図っている。そして、本実施の形態に係る画像読み取り装置では、カラーモードと白黒モードとでシェーディング補正で使用するシェーディングデータを異ならせることにより、光源の光量に応じたシェーディング補正を施すようになっている。
【００３６】
図６は、本実施の形態に係る画像読み取り装置において、ＣＣＤイメージセンサ７８側のシェーディングデータを取得するための処理の流れを示している。
まず、この画像読み取り装置の電源が投入されると(ステップ１０１)、ランプコントロール９３は、照明ランプ７４を、白黒モードにおける光量に設定する(ステップ１０２)。次いで、スキャンコントロール９４によって、フルレートキャリッジ７３が白基準板６６の下部に位置するように、フルレートキャリッジ７３およびハーフレートキャリッジ７５が移動せしめられる。そして、白黒モードにおける光量に設定された照明ランプ７４によって照射され、白基準板６６から反射した反射光がＣＣＤイメージセンサ７８に入射し、白黒モードの光量における白基準板６６の読み取り画像データが得られる。この白基準板６６の読み取り画像データ(白黒用シェーディングデータ、第１の補正データ)は、第１画像処理回路１００に入力され、Ａ/Ｄ変換等所定の処理が施された後、シェーディング補正回路１０５のシェーディング補正用メモリ１１２に一旦、保持される(ステップ１０３)。次に、シェーディング補正用メモリ１１２に保持された白黒用シェーディングデータを第１の外部メモリ１２１に転送して第１の外部メモリ１２１内に保持させる(ステップ１０４)。
【００３７】
なお、白黒モードでは、上述したようにカラーモードと比較して照明ランプ７４の光量を少なくしているため、ノイズ分が入りやすくＳ/Ｎ比が低下しやすい。そこで、ステップ１０３では、白基準板６６の同一位置を１６回読み取り、その平均を取ることで白黒用シェーディングデータを得ている。また、白基準板６６の読み取り位置が常に同一であると、白基準板６６に付着したごみや埃の影響を取り除くことができない。そこで、本実施の形態では、ＣＣＤイメージセンサ７８によって白基準板６６の同一位置を１６回読み取った後、フルレートキャリッジ７３およびハーフレートキャリッジ７５をわずかに動かして、今度は白基準板６６の別の同一位置を１６回読み取り、その平均を取ることで他の白黒用シェーディングデータを得ている。そして、得られた二つの白黒用シェーディングデータのうちノイズが少ない方を選択することで、良好な白黒用シェーディングデータを得ている。
【００３８】
次に、ランプコントロール９３は、照明ランプ７４を、カラーモードにおける光量に設定する(ステップ１０５)。そして、カラーモードにおける光量に設定された照明ランプ７４によって照射され、白基準板６６から反射した反射光がＣＣＤイメージセンサ７８に入射し、カラーモードの光量における白基準板６６の読み取り画像データが得られる。この白基準板６６の読み取りデータ(カラー用シェーディングデータ、第２の補正データ)は、第１画像処理回路１００に入力され、Ａ/Ｄ変換等所定の処理が施された後、シェーディング補正回路１０５のシェーディング補正用メモリ１１２に一旦、保持される(ステップ１０６)。次に、シェーディング補正用メモリ１１２に保持されたカラー用シェーディングデータを第２の外部メモリ１２２に転送して第２の外部メモリ１２２内に保持させる(ステップ１０７)。
そして、白黒用シェーディングデータおよびカラー用シェーディングデータを取得した後、動作を一旦終了し、実際の画像読み取りが開始されるまで待機状態に入る。
【００３９】
なお、カラーモードでは、白黒モードと比較して照明ランプ７４の光量を多くしているため、ノイズ分が入りにくくＳ/Ｎ比も低下しにくい。そこで、ステップ１０６では、白基準板６６の同一位置を８回(白黒モードの半分)読み取り、その平均を取ることでカラー用シェーディングデータを得ている。また、白黒モードと同様、白基準板６６の二箇所でカラー用シェーディングデータの取得を行い、白基準板６６に付着したごみや埃の影響を取り除いている。
【００４０】
図７は、本実施の形態に係る画像読み取り装置において、ＣＣＤイメージセンサ７８によって原稿の画像を読み取る処理の流れを示している。
ＣＣＤイメージセンサ７８を用いた画像読み取りの指示があると(ステップ２０１)、まず、読み取りモードが白黒モードであるか否かが判断される(ステップ２０２)。ステップ２０２において、読み取りモードが白黒モードである場合、ランプコントロール９３は、照明ランプ７４を、白黒モードにおける光量に設定する(ステップ２０３)。また、第１画像処理回路１００のシェーディング補正回路１０５では、第１の外部メモリ１２１に格納された白黒用シェーディングデータをシェーディング補正用メモリ１１２に転送する(ステップ２０４)。次いで、シェーディング補正用メモリ１１２に保持されたシェーディングデータ(白黒用シェーディングデータ)は、シェーディング補正処理回路１１１に出力される(ステップ２０５)。その後、ＣＣＤイメージセンサ７８による画像読み取りが開始される(ステップ２０６)。白黒モードの場合、シェーディング補正回路１０５のシェーディング補正処理回路１１１では、ＣＣＤイメージセンサ７８から入力されてくるＲＧＢ各色の画像信号を、白黒用シェーディングデータを用いてシェーディング補正を施して出力する。
【００４１】
一方、ステップ２０２において、読み取りモードがカラーモードである場合、ランプコントロール９３は、照明ランプ７４をカラーモードにおける光量に設定する(ステップ２０７)。また、第１画像処理回路１００のシェーディング補正回路１０５では、第２の外部メモリ１２２に格納されたカラー用シェーディングデータをシェーディング補正用メモリ１１２に転送する(ステップ２０８)。次いで、シェーディング補正用メモリ１１２に保持されたシェーディングデータ(カラー用シェーディングデータ)は、シェーディング補正処理回路１１１に出力される(ステップ２０５)。その後、ＣＣＤイメージセンサ７８による画像読み取りが開始される(ステップ２０６)。カラーモードの場合、シェーディング補正回路１０５のシェーディング補正処理回路１１１では、ＣＣＤイメージセンサ７８から入力されてくるＲＧＢ各色の画像信号を、カラー用シェーディングデータを用いてシェーディング補正を施して出力する。
【００４２】
なお、ステップ２０１において、画像読み取りの指示が固定読み取りである場合には、フルレートキャリッジ７３が第１プラテンガラス７２Ａの副走査方向端部側の下部に移動せしめられ、その後、ステップ２０６においてフルレートキャリッジ７３が第１プラテンガラス７２Ａの下部を副走査方向に移動することによって読み取りが行われる。一方、ステップ２０１において、画像読み取りの指示が流し読み取りである場合には、フルレートキャリッジ７３が第２プラテンガラス７５の下部に移動せしめられ、その後、ステップ２０６において同じ位置に固定された状態で読み取りが行われる。
【００４３】
図８は、本実施の形態で用いた照明ランプ７４の主走査方向の位置とその光量との関係であって、白黒モードおよびカラーモードにおける光量分布を共に示している。
上述したように、カラーモードの場合は、白黒モードの場合よりも光量が多くなるように設定される。これは、具体的には、照明ランプ７４に供給する電流の電流値を大きくすることによってなされる。ここで、図８には、白黒モードにおける光量分布に重ね合わせるように、カラーモードにおける光量分布の形状を示しているが、白黒モードにおける光量分布とカラーモードにおける光量分布の形状とでは、若干異なる部位があることがわかる。つまり、照明ランプ７４の光量によって、その光量分布の形状が変わってしまうのである。このため、例えば白黒モードにおいて、カラー用シェーディングデータを用いてシェーディング補正を行った場合、この例では、主走査方向中央部では弱めのシェーディング補正が施されるの対し、主走査方向両端部では強めのシェーディング補正が施されることになってしまい、得られる画像データにおいて主走査方向にむらが生じてしまうことになる。
【００４４】
これに対し、本実施の形態では、照明ランプ７４の光量が異なる白黒モードとカラーモードとで、異なるシェーディングデータ(白黒用シェーディングデータ、カラー用シェーディングデータ)を予め取得しておき、モードに応じて、シェーディング補正に使用するシェーディングデータを選択するようにした。つまり、カラーモードでは図８に示すカラーモードにおける光量分布に対応したシェーディングデータを用いてシェーディング補正を施し、白黒モードでは図８に示す白黒モードにおける光量分布に対応したシェーディングデータを用いてシェーディング補正を施すようにした。これにより、照明ランプ７４の光量を異ならせることに伴って主走査方向の照度分布の形状が変わるような場合であっても、白黒モードおよびカラーモードの両モードにおいて、共に正確なシェーディング補正を施すことができるようになり、得られる画像データにおけるむらの発生を抑制することが可能になる。
【００４５】
なお、本実施の形態では、白黒用シェーディングデータを第１の外部メモリ１２１に、カラー用シェーディングデータを第２の外部メモリ１２２にそれぞれ格納するようにしていたが、これに限られるものではなく、一つの外部メモリに白黒用シェーディングデータおよびカラー用シェーディングデータを共に格納するようにしてもよい。また、本実施の形態では、照明ランプ７４の光量を異ならせるモードとして白黒モードおよびカラーモードを挙げていたが、これに限られるものではなく、また３モード以上であってもよい。さらに、本実施の形態では、ＣＣＤイメージセンサ７８を用いて読み取りを行う例について説明を行ったが、これに限られるものではなくＣＩＳ５０を用いて読み取りを行う場合にも適用可能である。さらにまた、本実施の形態では、照明ランプ７４の光量を異ならせる例について説明を行ったが、例えば光源としてＬＥＤを採用することも可能である。
【００４６】
―実施の形態２―
本実施の形態は、実施の形態１と略同様であるが、画像読み取りを行う前に予め白黒用シェーディングデータおよびカラー用シェーディングデータを取得しておくのではなく、画像を読み取るモードに応じて、読み取りを開始する直前にモードに対応したシェーディングデータ(本実施の形態では白黒用シェーディングデータまたはカラー用シェーディングデータ)を取得するようにしたものである。なお、本実施の形態において、実施の形態１と同様のものについては、同じ符号を付してその詳細な説明を省略する。
【００４７】
図９は、本実施の形態に係る第１画像処理回路１００のうち、シェーディング補正回路１０５を詳述したブロック図である。本実施の形態では、シェーディングデータを格納するためのメモリとして、シェーディング補正用メモリ１１２のみが設けられており、実施の形態１で用いた外部メモリは設けられていない。
【００４８】
次に、ＣＣＤイメージセンサ７８を用いた、原稿の画像読み取りについて説明する。
図１０は、本実施の形態に係る画像読み取り装置において、ＣＣＤイメージセンサ７８側のシェーディングデータの取得およびＣＣＤイメージセンサ７８によって原稿の画像を読み取る処理の流れを示している。
ＣＣＤイメージセンサ７８を用いた画像読み取りの指示があると(ステップ３０１)、まず、読み取りモードが白黒モードであるか否かが判断される(ステップ３０２)。ステップ３０２において、読み取りモードが白黒モードである場合、ランプコントロール９３は、照明ランプ７４を、白黒モードにおける光量に設定する(ステップ３０３)。次いで、スキャンコントロール９４によって、フルレートキャリッジ７３が白基準板６６の下部に位置するように、フルレートキャリッジ７３およびハーフレートキャリッジ７５が移動せしめられる。そして、白黒モードにおける光量に設定された照明ランプ７４によって照射され、白基準板６６から反射した反射光がＣＣＤイメージセンサ７８に入射し、白黒モードの光量における白基準板６６の読み取り画像データが得られる。この白基準板６６の読み取り画像データ(白黒用シェーディングデータ)は、第１画像処理回路１００に入力され、Ａ/Ｄ変換等所定の処理が施された後、補正データ取得手段としてのシェーディング補正回路１０５のシェーディング補正用メモリ１１２に保持される(ステップ３０４)。そして、シェーディングメモリ１１２に保持されたシェーディングデータ(白黒用シェーディングデータ)は、シェーディング補正処理回路１１１に出力される(ステップ３０５)。その後、ＣＣＤイメージセンサ７８による画像読み取りが開始される(ステップ３０６)。白黒モードの場合、シェーディング補正回路１０５のシェーディング補正処理回路１１１では、ＣＣＤイメージセンサ７８から入力されてくるＲＧＢ各色の画像信号を、白黒用シェーディングデータを用いてシェーディング補正を施して出力する。
【００４９】
ここで、白黒モードでは、上述したようにカラーモードと比較して照明ランプ７４の光量を少なくしているため、ノイズ分が入りやすくＳ/Ｎ比が低下しやすい。そこで、ステップ３０４では、白基準板６６の同一位置を１６回読み取り、その平均を取ることで白黒用シェーディングデータを得ている。また、白基準板６６の読み取り位置が常に同一であると、白基準板６６に付着したごみや埃の影響を取り除くことができない。そこで、本実施の形態では、ＣＣＤイメージセンサ７８によって白基準板６６の同一位置を１６回読み取った後、フルレートキャリッジ７３およびハーフレートキャリッジ７５をわずかに動かして、今度は白基準板６６の別の同一位置を１６回読み取り、その平均を取ることで他の白黒用シェーディングデータを得ている。そして、得られた二つの白黒用シェーディングデータのうちノイズが少ない方を選択することで、良好な白黒用シェーディングデータを得ている。
【００５０】
一方、ステップ３０２において、読み取りモードがカラーモードである場合、ランプコントロール９３は、照明ランプ７４を、カラーモードにおける光量に設定する(ステップ３０７)。次いで、スキャンコントロール９４によって、フルレートキャリッジ７３が白基準板６６の下部に位置するように、フルレートキャリッジ７３およびハーフレートキャリッジ７５が移動せしめられる。そして、カラーモードにおける光量に設定された照明ランプ７４によって照射され、白基準板６６から反射した反射光がＣＣＤイメージセンサ７８に入射し、カラーモードの光量における白基準板６６の読み取り画像データが得られる。この白基準板６６の読み取り画像データ(カラー用シェーディングデータ)は、第１画像処理回路１００に入力され、Ａ/Ｄ変換等所定の処理が施された後、シェーディング補正回路１０５のシェーディング補正用メモリ１１２に保持される(ステップ３０８)。そして、シェーディング補正用メモリ１１２に保持されたシェーディングデータ(カラー用シェーディングデータ)は、シェーディング補正処理回路１１１に出力される(ステップ３０５)。その後、ＣＣＤイメージセンサ７８による画像読み取りが開始される(ステップ３０６)。カラーモードの場合、シェーディング補正回路１０５のシェーディング補正処理回路１１１では、ＣＣＤイメージセンサ７８から入力されてくるＲＧＢ各色の画像信号を、カラー用シェーディングデータを用いてシェーディング補正を施して出力する。
【００５１】
ここで、カラーモードでは、白黒モードと比較して照明ランプ７４の光量を多くしているため、ノイズ分が入りにくくＳ/Ｎ比も低下しにくい。そこで、ステップ３０８では、白基準板６６の同一位置を８回(白黒モードの半分)読み取り、その平均を取ることでカラー用シェーディングデータを得ている。また、白黒モードと同様、白基準板６６の二箇所でカラー用シェーディングデータの取得を行い、白基準板６６に付着したごみや埃の影響を取り除いている。
【００５２】
このように、本実施の形態では、照明ランプ７４の光量が異なる白黒モードとカラーモードとで、画像の読み取りを行う直前に照明ランプ７４をモードに応じた光量に設定してからシェーディングデータ(白黒用シェーディングデータまたはカラー用シェーディングデータ)を取得するようにしたので、実施の形態１で説明した効果に加え、シェーディング補正用メモリ１１２の他に外部メモリを設ける必要がなくなり、装置の小型化、低コスト化を図ることが可能になる。
また、本実施の形態では、画像の読み取りを行う直前にシェーディングデータを取得しているが、その際、画像を読み取るモードが白黒モードであるかあるいはカラーモードであるかによって、シェーディングデータ(白黒用シェーディングデータ、カラー用シェーディングデータ)を取得する際のサンプリング回数を異ならせるようにした。これにより、光量が少なく設定される白黒モードではサンプリング回数を多くすることによりより正確なシェーディングデータが得られ、光量が白黒モードよりも多く設定されるカラーモードではサンプリング回数を少なくすることにより高速化を図ることが可能になる。
【図面の簡単な説明】
【００５３】
【図１】本実施の形態が適用される画像読み取り装置を示した図である。
【図２】ＣＩＳおよびＣＩＳ近傍の構造を説明するための図である。
【図３】処理装置を説明するためのブロック図である。
【図４】第１画像処理回路の構成を詳述したブロック図である。
【図５】実施の形態１におけるシェーディング補正回路の構成を詳述したブロック図である。
【図６】ＣＣＤイメージセンサ側のシェーディングデータを取得するための処理の流れを示すフローチャートである。
【図７】ＣＣＤイメージセンサによって原稿の画像を読み取る処理の流れを示す図である。
【図８】本実施の形態で用いた照明ランプの主走査方向の位置とその光量との関係を説明するフローチャートである。
【図９】実施の形態２におけるシェーディング補正回路の構成を詳述したブロック図である。
【図１０】ＣＣＤイメージセンサ側のシェーディングデータの取得およびＣＣＤイメージセンサによって原稿の画像を読み取る処理の流れを示すフローチャートである。
【符号の説明】
【００５４】
１０…原稿送り装置、５０…ＣＩＳ、５１…ガラス、５２…ＬＥＤアレイ、５３…セルフォックレンズ、５４…ラインセンサ、６０…突き当て部材、６４…白基準テープ、６６…白基準板、７０…スキャナ装置、７２Ａ…第１プラテンガラス、７２Ｂ…第２プラテンガラス、７３…フルレートキャリッジ、７４…照明ランプ、７５…ハーフレートキャリッジ、７７…結像用レンズ、７８…ＣＣＤイメージセンサ、８０…処理装置、８１…信号処理部、９０…制御部、９１…画像読み取りコントロール、９２…ＣＣＤ/ＣＩＳコントロール、９３…ランプコントロール、９４…スキャンコントロール、９５…搬送機構コントロール、１００…第１画像処理回路、１０１…サンプルホールド回路、１０２…増幅回路、１０３…Ａ/Ｄ変換回路、１０４…合成回路、１０５…シェーディング補正回路、１０６…遅延回路、１０７…画像処理回路、１１１…シェーディング補正処理回路、１１２…シェーディング補正用メモリ、１２１…第１の外部メモリ、１２２…第２の外部メモリ、２００…第２画像処理回路
【図１】
2006013821.tif 000003
【図２】
2006013821.tif 000004
【図３】
2006013821.tif 000005
【図４】
2006013821.tif 000006
【図５】
2006013821.tif 000007
【図６】
2006013821.tif 000008
【図７】
2006013821.tif 000009
【図８】
2006013821.tif 000010
【図９】
2006013821.tif 000011
【図１０】
2006013821.tif 000012